(57)【要約】【課題】  ＰＣＢのエッジのくぼみに取り付けられる電気コネクタであって、その一部分がＰＣＢの外面より上に配置されそしてその別の部分がＰＣＢの外面より下に配置される電気コネクタを提供する。【解決手段】  電気コネクタは、絶縁ハウジングと、複数の電気端子と、内部シールドハウジングと、外部シールドハウジングとを備え、外部シールドは、２部片で構成され、第１シールド部材及び第２シールド部材を有する。第１シールド部材は、そこから前方に延びる第１弾性タブを有し、そして第２シールド部材には翼タブが配置され、第１弾性タブと翼タブは互いに干渉せず、従って、コネクタは、コネクタの一部分がＰＣＢの外面より上に配置され且つコネクタの別の部分がＰＣＢの外面より下に配置されるようにしてＰＣＢのエッジのくぼみに取り付けることができる。【選択図】    図３
2004207248.tif 000002
【特許請求の範囲】
【請求項１】
相手コネクタに係合するためにＰＣＢに取り付けられる電気コネクタにおいて、
絶縁ハウジングと、
上記絶縁ハウジング内の複数の電気端子であって、上記相手コネクタに電気的に係合するためのコンタクト部分と、上記絶縁ハウジングから延びて上記ＰＣＢに電気的に係合するためのテール部分とを各々含む電気端子と、
第１空洞が形成され、上記絶縁ハウジングをカバーする内部シールドハウジングと、
第１シールド部材及び第２シールド部材を有する外部シールドハウジングと、
を備え、上記第１シールド部材は、上壁と、該上壁の両側から延びる側壁とを有し、上記第２シールド部材は、上記第１シールド部材と一体的に結合されるもので、上壁と、該上壁の両側から延びる側壁とを有し、上記外部シールドハウジングは、上記第１シールド部材と上記第２シールド部材との間に第２空洞を形成し、更に、上記第１シールド部材は、その２つの側壁の各々に接続されてそこから前方に延びる第１弾性タブを有し、そして上記第２シールド部材は、その２つの側壁の各々に形成されたくぼみであって、上記第１弾性タブに関連してその第１弾性タブを収容するくぼみと、該くぼみの縁から折り返された翼タブとを有するように構成された電気コネクタ。
【請求項２】
上記ＰＣＢは、そのエッジにくぼみを含み、上記電気コネクタは、上記ＰＣＢのこのくぼみ内に受け入れられ、上記電気コネクタは、上記ＰＣＢの外面より上にある部分と、上記ＰＣＢの外面より下にある別の部分とを含む請求項１に記載の電気コネクタ。
【請求項３】
上記内部シールドハウジングは、垂直方向にまっすぐに且つ平行に配置された２つの対向側壁と、これら２つの対向側壁を接続するように水平方向に配置された上壁及び下壁とを含み、上記上壁は、その後端に接続されて下方に延びる後壁を画成し、そして上記対向側壁の各々には、第２の弾性タブが配置されている請求項１に記載の電気コネクタ。
【請求項４】
上記第１シールド部材は、その前端に形成されたクランピングスロットを有し、上記第２シールド部材は、その端部に配置されたクランピングタブを有し、このクランピングタブは、上記クランピングスロットに関連付けされてそれと係合する請求項１に記載の電気コネクタ。
【請求項５】
上記翼タブは、その端に接続されてそこから上方又は下方に延びる挿入分を有し、上記ＰＣＢは、上記翼タブのこの挿入部に関連した挿入孔を有し、この挿入穴に係合するように挿入部が形成される請求項１に記載の電気コネクタ。
【発明の詳細な説明】
【技術分野】
【０００１】
本発明は、プリント回路板（ＰＣＢ）又は他の基板に取り付けることのできる電気コネクタに係り、より詳細には、ＰＣＢのエッジのくぼみに取り付けることのできる電気コネクタであって、そのコネクタの一部分がＰＣＢの外面より上に配置されそしてそのコネクタの別の部分がＰＣＢの外面より下に配置されるような電気コネクタに係る。
【背景技術】
【０００２】
図１及び図２を参照すれば、ＩＥＥＥ１３９４ｂ規格に関連した高速転送用の従来の電気コネクタがＰＣＢ１００の外面に取り付けられ、相手コネクタと嵌合することができる。この電気コネクタは、絶縁ハウジング６０と、この絶縁ハウジング６０内に配置された複数の電気端子７０と、絶縁ハウジング６０をカバーする内部シールドハウジング８０と、絶縁ハウジング６０を包囲する外部シールドハウジング９０とを備えている。
【０００３】
絶縁ハウジング６０は、ベース６１と、該ベース６１から前方に延びて平行に配置された一対の嵌合プレートとを備え、この一対の嵌合プレートは、第１嵌合プレート６２及び第２嵌合プレート６３であり、そして各嵌合プレートは、後方に延びてベース６１を貫通する複数のスロット６４を有する。電気端子７０は、スロット６４に各々対応的に受け入れられ、各端子は、相手コネクタに電気的に係合するコンタクト部分７１と、絶縁ハウジング６０の外部に露出してＰＣＢ１００に電気的接続するテール部分７２とを有する。
【０００４】
内部シールドハウジング８０は、一対の嵌合プレート各々の周囲をカバーするもので、第１空洞８１が形成されている。外部シールドハウジング９０は、ベース６１の周囲を包囲しそして前方に延び、更に、内部シールドハウジング８０と外部シールドハウジング９０との間には第２空洞９１が形成される。第１空洞８１及び第２空洞９１には相手コネクタを部分的に挿入して、相手コネクタをＰＣＢ１００に電気的に接続する。
【発明の開示】
【発明が解決しようとする課題】
【０００５】
この電気コネクタを相手コネクタにしっかり接続するために、内部シールドハウジング８０及び外部シールドハウジング９０には、弾性部材８２、９２が各々配置され、これら弾性部材は相手コネクタをクランプする。しかしながら、弾性部材９２は、外部シールドハウジング９０の両側壁に配置され、ＰＣＢのエッジのくぼみ内にコネクタを取り付けることが望まれるときに翼タブが必要とされる空間を占有する。
【課題を解決するための手段】
【０００６】
本発明の１つの目的は、上述した公知の問題を克服することである。
特に、本発明の目的は、外部シールドが２部片型で設計されて、第１シールド部材及び第２シールド部材を有するような電気コネクタを提供することである。第１シールド部材から前方に第１弾性タブが延び、そして第２シールド部材には翼タブが配置され、第１弾性タブと翼タブは互いに干渉せず、従って、コネクタは、コネクタの一部分がＰＣＢの外面より上に配置され且つコネクタの別の部分がＰＣＢの外面より下に配置されるようにしてＰＣＢのエッジのくぼみに取り付けることができる。その結果、コネクタがＰＣＢの外面より上に延びる高さが減少される。
【０００７】
本発明によれば、上記目的は、複数のスロットを有する絶縁ハウジングと、それらスロットに各々受け入れられる複数の電気端子と、第１空洞が形成され、上記絶縁ハウジングをカバーする内部シールドハウジングと、上記絶縁ハウジングをカバーする外部シールドハウジングとを備えた電気コネクタにより達成される。各電気端子は、相手コネクタに電気的に係合するコンタクト部分と、絶縁ハウジングから外部に露出されてＰＣＢに電気的に接続するテール部分とを備えている。外部シールドハウジングは、第１シールド部材と、この第１シールド部材に一体的に結合する第２シールド部材とを有し、その両方が絶縁ハウジングを各々カバーする。第１シールド部材と第２シールド部材との間には第２空洞が形成される。第１シールド部材は、その２つの側壁の各々に接続されてそこから前方に延びる第１弾性タブを有し、そして第２シールド部材は、その２つの側壁の各々に形成されたくぼみであって、第１弾性タブに関連してその第１弾性タブを収容するくぼみと、該くぼみの縁から折り返された翼タブとを有し、これにより、ＰＣＢのエッジのくぼみ内にコネクタを取り付けることができる。更に、翼タブは、ＰＣＢにしっかり接続される。
【発明を実施するための最良の形態】
【０００８】
本発明は、多数の異なる形態で実施できるが、その特定の実施形態を図示して以下に詳細に説明する。しかしながら、この説明は、本発明の原理を単に例示するものに過ぎず、本発明を何ら限定するものではないことを理解されたい。
【０００９】
図３及び図４を参照すれば、本発明は、相手コネクタに係合するためにＰＣＢ５０に取り付けることのできる電気コネクタを提供する。この電気コネクタは、絶縁ハウジング１０と、複数の電気端子２０と、内部シールドハウジング３０と、外部シールドハウジング４０とを備えている。絶縁ハウジング１０は、絶縁プラスチック材料で作られ、そしてベース１１と、このベース１１から前方に延びて互いに平行に配置された第１嵌合プレート１２及び第２嵌合プレート１３とを有し、この第１嵌合プレート１２及び第２嵌合プレート１３の各々には、複数のスロット１４が形成され分布されている。これらのスロット１４は、第１嵌合プレート１２の下面及び第２嵌合プレート１３の上面に各々形成され、そして後方に延びてベース１１を貫通する。第１嵌合プレート１２は、更に、その中央部に突出片１５が配置され、第２の嵌合プレート１３へと前方に露出している。
【００１０】
電気端子２０は、導電性に優れた金属材料で作られ、各々スロット１４に受け入れられる。各電気端子２０は、相手コネクタに電気的に係合するコンタクト部分２１と、絶縁ハウジングから延びてＰＣＢ５０に電気的に接続するテール部分２２とを含む。
【００１１】
内部シールドハウジング３０は、優れたシールド作用をもつ金属材料で作られる。内部シールドハウジング３０は、垂直方向にまっすぐに且つ平行に配置された２つの対向側壁３１と、これら２つの側壁を接続しそして水平方向に配置された上壁３２及び下壁３３とを備えている。上壁３２は、その後端に接続されて下方に延びる後壁３４を画成し、２つの対向側壁３１の各々には、第２の弾性タブ３５が配置されている。内部シールドハウジング３０は、第１嵌合プレート１２及び第２嵌合プレート１２各々の周囲をカバーし、第１空洞３６が形成される。
【００１２】
外部シールドハウジング４０も、優れたシールド作用をもつ金属材料で作られる。外部シールドハウジング４０は、第１シールド部材４１と、該第１シールド部材に一体的に結合する第２シールド部材４２とを備えている（図５及び図６に示す）。第１シールド部材４１は、ベース１１をカバーするもので、垂直方向にまっすぐに且つ平行に配置された２つの対向側壁４１１と、これら２つの側壁４１１を接続しそして水平方向に配置された上壁４１２及び下壁４１３とを含む。第１シールド部材４１は、２つの対向側壁４１１の各々から前方に延びる第１弾性タブ４１４を含む。２つの対向側壁４１１の各々には、その前端に凹状のクランプスロット４１５が形成されている。下壁４１３には、上方に凸状の突出部４１６が配置され、この突出部４１６には、バックル突起４１７が配置される。上壁４１２の後部から後部シールドカバー４１８が下方に延びて、ベース１１の後部を包囲している。
【００１３】
第２シールド部材４２は、２つの嵌合プレート１２、１３各々の周囲をカバーする。第２シールド部材４２は、垂直方向にまっすぐに且つ平行に配置された２つの対向側壁４２１と、これら２つの側壁４２１を接続しそして水平方向に配置された上壁４２２及び下壁４２３とを含む。第２シールド部材４２は、その２つの側壁４２１の各々にくぼみ４２４が形成され、これは、第１の弾性タブ４１４に関連していて、第１の弾性タブ４１４がくぼみ４２４に収容される。くぼみ４２４は、その後端に開口部が形成されている。第２シールド部材４２は、くぼみ４２４の縁から折り返された翼タブ４２５を有し、この翼タブ４２５は、くぼみ４２４の縁の上部又は下部から折り返すことができる。
【００１４】
ここに示す実施形態では、翼タブ４２５は、くぼみ４２４の縁の下部から折り返されて水平に配置される。翼タブ４２５は、そこから下方又は上方に延びてその端に接続される挿入部４２６を含む。ここに示す実施形態では、この挿入部４２６は、下方に延びている。上壁４２２の端部にはクランプタブ４２７が配置され、このクランプタブ４２７は、クランプスロット４１５に関連しそしてそれに係合され、第１シールド部材４１及び第２シールド部材４２を互いに係合することができる。下壁４２３は、上方に延びる突出部４２８を有し、これは、第１シールド部材の突出部４１６に接続する。この突出部４２８には、バックルスロット４２９が形成され、これは、バックル突起４１７に関連してこれに係合され、第１シールド部材４１及び第２シールド部材４２を互いに係合させる。
【００１５】
第１シールド部材４１及び第２シールド部材４２を係合して１つの部片にした後に、第１の弾性部材４１４がくぼみ４２４に丁度受け入れられ、内部シールドハウジング３０と外部シールドハウジング４０との間に第２空洞４３が形成される。第１空洞３６及び第２空洞４３は、相手コネクタを電気コネクタに挿入してＰＣＢに電気的接続するためのもので、弾性部材３５、４１４が相手コネクタをクランプする。
【００１６】
図３及び図４を参照すれば、本発明の電気コネクタは、コネクタの一部分がＰＣＢの外面５０ａより上に配置されそしてコネクタの別の部分がＰＣＢの外面５０ａより下に配置されるようにしてＰＣＢ５０に取り付けることができる。ＰＣＢ５０は、電気コネクタを配置するためのくぼみ５１が形成され、ＰＣＢ５０から露出する電気コネクタの全体的な高さを減少することができる。外部シールドハウジング４０の翼タブ４２５は、ＳＭＴ（表面取り付け技術）でＰＣＢ５０に接続されるか、又はＰＣＢ５０の対応孔５２に挿入されて、電気コネクタをＰＣＢ５０に逆に配置させる。又、電気コネクタは、図７に示すように沈み込むようにＰＣＢ５０に通常に配置することもできる。
【図面の簡単な説明】
【００１７】
【図１】従来の電気コネクタの斜視図である。
【図２】従来の電気コネクタを別の角度から見た斜視図である。
【図３】本発明の電気コネクタの分解図である。
【図４】本発明の電気コネクタの斜視図である。
【図５】本発明の電気コネクタの外部シールドハウジングの分解図である。
【図６】本発明の電気コネクタの外部シールドハウジングの斜視図である。
【図７】本発明の電気コネクタの別の実施形態を示す斜視図である。
【図１】
2004207248.tif 000003
【図２】
2004207248.tif 000004
【図３】
2004207248.tif 000005
【図４】
2004207248.tif 000006
【図５】
2004207248.tif 000007
【図６】
2004207248.tif 000008
【図７】
2004207248.tif 000009
【外国語明細書】
2004207248.tif 000010
2004207248.tif 000011
2004207248.tif 000012
2004207248.tif 000013
2004207248.tif 000014
2004207248.tif 000015
2004207248.tif 000016
2004207248.tif 000017
2004207248.tif 000018
2004207248.tif 000019
2004207248.tif 000020
2004207248.tif 000021
2004207248.tif 000022
2004207248.tif 000023
2004207248.tif 000024
2004207248.tif 000025
2004207248.tif 000026
2004207248.tif 000027